(57)【要約】【課題】汎用の眼鏡のフレームにシールドを簡単に取り付けられる方法を提供する。【解決手段】眼鏡３のフレームに、透明樹脂板からなるシールド２を取付クリップ４を介して取り付ける方法において、位置決めシート１を使用し、位置決めシート１には、基準軸線１１と傾斜軸線１２とクリップ位置目印１３，１４とを表示しておき、まず、位置決めシート１の所定位置にシールド２を重ね合わせ、次に、眼鏡３のテンプル３１を開いた状態で、レンズ部３２を位置決めシート１の基準軸線１１の中間の位置に合わせてシールド２に伏せ置き、取付クリップ４を基準軸線１１又は傾斜軸線１２に沿ったクリップ位置目印１３，１４を目安として、テンプル３１の付根部から両側方に適宜離れた位置でシールド２に貼り着け、その後、シールド２を眼鏡３のレンズ部３２から両側のテンプル３１に沿うように湾曲させ、取付クリップ４をテンプル３１に嵌め込む。【選択図】図３
2022000670.tif 000002
【特許請求の範囲】
【請求項１】
眼鏡(3)のフレームに、透明樹脂板からなるシールド(2)を取付クリップ(4)を介して取り付ける方法において、位置決めシート(1)を使用し、その表面上の横方向を左右方向と規定するとともに、縦方向を上下方向と規定し、
前記位置決めシート(1)には、左右方向に延びる基準軸線(11)と、前記基準軸線(11)上の間隔があいた２点からそれぞれ外側へ向かって上方へ傾斜した傾斜軸線(12)と、左右両側で前記基準軸線(11)及び前記傾斜軸線(12)にそれぞれ沿ったクリップ位置目印(13,14)とを表示しておき、
まず、前記位置決めシート(1)の所定位置に前記シールド(2)を重ね合わせ、
次に、眼鏡(3)のテンプル(31)を開いた状態で、レンズ部(32)を前記位置決めシート(1)の基準軸線(11)の中間の位置に合わせて前記シールド(1)に伏せ置き、
また、前記取付クリップ(4)を、前記基準軸線(11)又は前記傾斜軸線(12)に沿った前記クリップ位置目印(13,14)を目安として、眼鏡(3)のテンプル(31)の付根部から両側方に適宜離れた位置で前記シールド(2)に貼り着け、
その後、前記シールド(2)を眼鏡(3)のレンズ部(32)から両側のテンプル(31)に沿うように湾曲させ、前記取付クリップ(4)を眼鏡(3)のテンプル(31)に嵌め込んで、前記シールド(2)を眼鏡のフレームに取り付けるフェイスガードのシールド取付方法。
【請求項２】
前記位置決めシート(1)には、前記基準軸線(11)の中間の位置に眼鏡のレンズ部(32)をかたどった眼鏡載置目印(15)を表示しておき、
前記位置決めシート(1)に重ね合わせた前記シールド(2)に対し、前記眼鏡載置目印(15)を目安として、眼鏡(3)のレンズ部(32)を伏せ置くことを特徴とする請求項１に記載のフェイスガードのシールド取付方法。
【請求項３】
前記位置決めシート(1)には、前記基準軸線(11)及び前記傾斜軸線(12)を含んで左右方向及び上下方向に及ぶ範囲に方眼を表示しておき、
前記位置決めシート(1)に重ね合わせた前記シールド(2)に対し、前記取付クリップ(4)を前記クリップ位置目印(13,14)から方眼の升数を参照しつつ左右方向へずらして、前記シールド(2)に貼り着けることを特徴とする請求項１又は２に記載のフェイスガードのシールド取付方法。
【発明の詳細な説明】
【技術分野】
【０００１】
この発明は、病原体の飛沫等から顔面を防護するフェイスガードを構成するため、眼鏡のフレームにシールドを取り付ける方法に関するものである。
【背景技術】
【０００２】
ウィルス感染症の患者から咳、くしゃみ等に伴い排出される病原体のウィルスを顔面に浴びた場合、ウィルスが口や鼻から呼吸器の粘膜に付着したり、目の結膜に付着したりして、感染症に罹患するおそれがある。また、手術等の医療行為により飛び散った患者の血液や体液を顔面に浴びた場合にも、感染症に罹患するおそれがある。
【０００３】
そのような危険から顔面を防護する手段として、飛沫感染のリスクが高いとされる接客業や医療、介護分野等において、顔の正面部から両側部を湾曲させたシールドで覆うフェイスガードが使用されることがある。
【０００４】
例えば、医療用のフェイスガードとして、下記特許文献１に記載されたようなものが知られている。このフェイスガードは、眼鏡型のフレームと、透明樹脂板のシールドとからなり、フレームのテンプルに爪部が設けられ、シールドをテンプルと爪部との間に挟んで嵌合させることにより、フレームに固定するものとされている。
【先行技術文献】
【特許文献】
【０００５】
【特許文献１】国際公開ＷＯ２０１６／１２５５５１
【発明の概要】
【発明が解決しようとする課題】
【０００６】
しかしながら、上記のようなフェイスガードは、医療機関等の業務用として製作され、専用のフレームにシールドを装着するものであり、個人経営のような小規模の接客業で使用する場合や、家庭で軽症の感染者を看護する際に、一般に市販されている汎用の眼鏡を利用して、手軽に飛沫感染から自身を防護できるものではない。
【０００７】
そこで、この発明は、手持ちの眼鏡等、汎用の眼鏡のフレームにシールドを簡単に取り付けられる方法を提供しようとするものである。
【課題を解決するための手段】
【０００８】
上記課題を解決するため、この発明は、眼鏡のフレームに、透明樹脂板からなるシールドを取付クリップを介して取り付ける方法において、位置決めシートを使用し、その表面上の横方向を左右方向と規定するとともに、縦方向を上下方向と規定し、
前記位置決めシートには、左右方向に延びる基準軸線と、前記基準軸線上の間隔があいた２点からそれぞれ外側へ向かって上方へ傾斜した傾斜軸線と、左右両側で前記基準軸線及び前記傾斜軸線にそれぞれ沿ったクリップ位置目印とを表示しておき、
まず、前記位置決めシートの所定位置に前記シールドを重ね合わせ、
次に、眼鏡のテンプルを開いた状態で、レンズ部を前記位置決めシートの基準軸線の中間の位置に合わせて前記シールドに伏せ置き、
また、前記取付クリップを、前記基準軸線又は前記傾斜軸線に沿った前記クリップ位置目印を目安として、眼鏡のテンプルの付根部から両側方に適宜離れた位置で前記シールドに貼り着け、
その後、前記シールドを眼鏡のレンズ部から両側のテンプルに沿うように湾曲させ、前記取付クリップを眼鏡のテンプルに嵌め込んで、前記シールドを眼鏡のフレームに取り付けるフェイスガードのシールド取付方法を提供することとしたのである。
【０００９】
また、前記位置決めシートには、前記基準軸線の中間の位置に眼鏡のレンズ部をかたどった眼鏡載置目印を表示しておき、
前記位置決めシートに重ね合わせた前記シールドに対し、前記眼鏡載置目印を目安として、眼鏡のレンズ部を伏せ置くようにしたのである。
【００１０】
また、前記位置決めシートには、前記基準軸線及び前記傾斜軸線を含んで左右方向及び上下方向に及ぶ範囲に方眼を表示しておき、
前記位置決めシートに重ね合わせた前記シールドに対し、前記取付クリップを前記クリップ位置目印から方眼の升数を参照しつつ左右方向へずらして、前記シールドに貼り着けるようにしたのである。
【発明の効果】
【００１１】
この発明に係る方法によると、位置決めシートを使用することにより、シールドの適正な位置に取付クリップを取り付けることができ、一般に市販されている手持ちの眼鏡のフレームに、取付クリップを介してシールドを簡単に取り付けることができる。
【００１２】
また、位置決めシートの基準軸線と傾斜軸線のいずれのクリップ位置目印を目安とするかによって、フェイスガードの装着時における顔面に対するシールドの角度を変化させることができる。
【００１３】
また、眼鏡のテンプルに沿って取付クリップをスライドさせることにより、シールドに取付クリップを貼着した後であっても、フェイスガードの装着時におけるシールドと顔面の間隔を調整することができる。
【図面の簡単な説明】
【００１４】
【図１】この発明の実施形態に係るフェイスガードのシールド取付方法に使用する位置決めシートを示す平面図
【図２】同上の位置決めシートにシールドを重ね合わせた状態を示す斜視図
【図３】同上の基準軸線上のクリップ位置目印による眼鏡と取付クリップの位置決め状態を示す斜視図
【図４】同上のシールドを基準角度としたフェイスガードの使用状態を示す斜視図
【図５】同上の傾斜軸線上のクリップ位置目印による眼鏡と取付クリップの位置決め状態を示す斜視図
【図６】同上のシールドを傾斜角度としたフェイスガードの使用状態を示す斜視図
【発明を実施するための形態】
【００１５】
以下、この発明の実施形態を添付図面に基づいて説明する。
【００１６】
この発明に係るフェイスガードのシールド取付方法では、図１に示すような位置決めシート１を使用する。この位置決めシート１は、長方形状の用紙を樹脂フィルムでラミネートしたものであり、表面上の横方向を左右方向と規定するとともに、縦方向を上下方向と規定され、左右方向及び上下方向に等間隔で平行に配列されて升目を形成する方眼が周縁部を除いて全面的に印刷されたものとなっている。
【００１７】
そして、位置決めシート１には、左右方向に長く延びる基準軸線１１と、基準軸線１１上の間隔があいた２点からそれぞれ外側へ向かって上方へ傾斜した傾斜軸線１２とが印刷により表示されている。
【００１８】
また、左右両側で基準軸線１１及び傾斜軸線１２にそれぞれ沿ったクリップ位置目印１３，１４が印刷により表示されている。
【００１９】
さらに、基準軸線１１の中間の位置には、眼鏡のレンズ部をかたどった楕円状の眼鏡載置目印１５が印刷により表示されている。
【００２０】
このような位置決めシート１を使用するには、まず、図２に示すように、位置決めシート１の所定位置に、長方形状で角部が丸められた透明樹脂板からなるシールド２を重ね合わせる。その際、シールド２の上角部を方眼の領域の上角部に合わせる。
【００２１】
次に、図３に示すように、眼鏡３のテンプル３１を開いた状態で、レンズ部３２を位置決めシート１の基準軸線１１の眼鏡載置目印１５に合わせてシールド２に伏せ置く。
【００２２】
そして、シールド２を基準角度で眼鏡３のフレームに取り付ける場合、シリコン素材で形成された弾性を有する取付クリップ４を、基準軸線１１に沿ったクリップ位置目印１３を目安として、裏面の両面テープによりシールド２に貼り着ける。
【００２３】
これにより、取付クリップ４を、眼鏡３のテンプル３１の付根部から両側方に適宜離れた位置でシールド２に貼り着けられる。
【００２４】
この際、フェイスガードの装着状態で顔面とシールド２の間隔が自分の好みの大きさとなるように、シールド２に対し、取付クリップ４をクリップ位置目印１３から方眼の升数を参照しつつ左右方向へずらして、シールド２に貼り着けるとよい。
【００２５】
その後、シールド２を眼鏡３のレンズ部３２から両側のテンプル３１に沿うように湾曲させ、取付クリップ４の溝部４１を眼鏡３のテンプル３１に嵌め込んで、シールド２を眼鏡３のフレームに取り付ける。
【００２６】
このとき、取付クリップ４は、溝部４１を押し広げるように変形させ、溝部４１に眼鏡３のテンプル３１が嵌まり込んだ後、弾性により復元させる。溝部４１は、入口部分の両側壁が迫り出して幅が狭くなっているので、テンプル３１が抜け止めされる。
【００２７】
そして、図４に示すように、完成したフェイスガードを、眼鏡３のテンプル３１を耳に掛けて装着すると、視界を確保しつつ、顔の正面から両側面にかけて、ウィルスの飛沫から防護することができる。また、マスク５を併用することもできる。
【００２８】
また、このフェイスガードは、感染症対策だけでなく、花粉症対策や、揚げ物料理の油跳ねからの顔面保護などに適用することもできる。
【００２９】
上記のようなフェイスガードのシールド取付方法によると、位置決めシート１を使用することにより、シールド２の適正な位置に取付クリップ４を取り付けることができ、一般に市販されている手持ちの眼鏡３のフレームに、取付クリップ４を介してシールド２を簡単に取り付けることができる。
【００３０】
また、眼鏡３のテンプル３１に沿って取付クリップ４をスライドさせることにより、シールド２に取付クリップ４を貼着した後であっても、フェイスガードの装着時におけるシールド２と顔面の間隔を調整することができる。
【００３１】
一方、シールド２を傾斜角度で眼鏡３のフレームに取り付ける場合には、図５に示すように、位置決めシート１にシールド２を重ね合わせた状態で、取付クリップ４を、傾斜軸線１２に沿ったクリップ位置目印１４を目安として、シールド２に貼り着ける。
【００３２】
その後、シールド２を眼鏡３のレンズ部３２から両側のテンプル３１に沿うように湾曲させ、取付クリップ４の溝部４１を眼鏡３のテンプル３１に嵌め込んで、シールド２を眼鏡３のフレームに取り付ける。
【００３３】
そして、図６に示すように、完成したフェイスガードを、眼鏡３のテンプル３１を耳に掛けて装着すると、シールド２と額の隙間が小さくなるので、光の乱反射を軽減することができる。また、シールド２の下部では、シールド２が前方へ少し迫り出すので、口元の圧迫感が軽減され、マスク５の併用に適した状態となる。
【００３４】
ところで、上記実施形態では、位置決めシート１として、長方形状の用紙を樹脂フィルムでラミネートしたものを例示したが、位置決めシート１は、耐久性の優れた板紙や樹脂板に基準軸線１１、傾斜軸線１２、クリップ位置目印１３，１４等を印刷し、ラミネートを省略してもよい。
【００３５】
また、シールド２としては、使用状況に応じて、装着時に口元まで覆う標準サイズのほか、マスク５との併用を前提とした短いサイズのものや、顎下まで覆う長いサイズのものを選択すればよい。
【００３６】
また、眼鏡３は、視力矯正用の度入りのレンズを有するものだけでなく、レンズに度が入っていないものであってもよい。
【００３７】
また、眼鏡３のテンプル３１が極めて細く、取付クリップ４の溝部４１とテンプル３１の間にがたつきが生じる場合には、テンプル３１と取付クリップ４の溝部４１の間に詰め物を挟み込んだり、テンプル３１に食品保存用のラップを多重に巻き付けておくことにより、がたつきを抑止することができる。
【００３８】
一方、テンプル３１が極めて太い眼鏡３に対しては、取付クリップ４として、弾性変形させつつ溝部４１に嵌め込むものではなく、クランプ式のもの等、テンプル３１を任意の位置で挟持できる他の形式のものを用いてもよい。
【００３９】
そのほか、装着した状態で下を向く作業が多く、テンプル３１が耳からずれ落ちる場合には、市販の眼鏡ストッパーや眼鏡バンドを使用するとよい。
【符号の説明】
【００４０】
１  位置決めシート
１１  基準軸線
１２  傾斜軸線
１３，１４  クリップ位置目印
１５  眼鏡載置目印
２  シールド
３  眼鏡
３１  テンプル
３２  レンズ部
４  取付クリップ
４１  溝部
５  マスク
【図１】
2022000670.tif 000003
【図２】
2022000670.tif 000004
【図３】
2022000670.tif 000005
【図４】
2022000670.tif 000006
【図５】
2022000670.tif 000007
【図６】
2022000670.tif 000008
【手続補正書】
【提出日】令和2年10月9日(2020.10.9)
【手続補正１】
【補正対象書類名】特許請求の範囲
【補正対象項目名】請求項１
【補正方法】変更
【補正の内容】
【請求項１】
眼鏡(3)のフレームに、透明樹脂板からなるシールド(2)を取付クリップ(4)を介して取り付ける方法において、位置決めシート(1)を使用し、その表面上の横方向を左右方向と規定するとともに、縦方向を上下方向と規定し、
前記位置決めシート(1)には、左右方向に延びる基準軸線(11)と、前記基準軸線(11)上の間隔があいた２点からそれぞれ外側へ向かって上方へ傾斜した傾斜軸線(12)と、左右両側で前記基準軸線(11)及び前記傾斜軸線(12)にそれぞれ沿ったクリップ位置目印(13,14)とを表示しておき、
まず、前記位置決めシート(1)の所定位置に前記シールド(2)を重ね合わせ、
次に、眼鏡(3)のテンプル(31)を開いた状態で、レンズ部(32)を前記位置決めシート(1)の基準軸線(11)の中間の位置に合わせて前記シールド(2)に伏せ置き、
また、前記取付クリップ(4)を、前記基準軸線(11)又は前記傾斜軸線(12)に沿った前記クリップ位置目印(13,14)を目安として、眼鏡(3)のテンプル(31)の付根部から両側方に適宜離れた位置で前記シールド(2)に貼り着け、
その後、前記シールド(2)を眼鏡(3)のレンズ部(32)から両側のテンプル(31)に沿うように湾曲させ、前記取付クリップ(4)を眼鏡(3)のテンプル(31)に嵌め込んで、前記シールド(2)を眼鏡のフレームに取り付けるフェイスガードのシールド取付方法。